(57)【特許請求の範囲】
【請求項１】
光を地面側に通す被覆部材と、
前記被覆部材を保持する被覆部材保持手段と、
前記被覆部材保持手段を回動可能に保持する回動部と、地面に固定可能な固定部とを有する複数の固定手段と、
断熱効果を有するものであって、前記被覆部材保持手段と地面との間にできる空間の熱が外部に逃げるのを防止する底のない保温手段と、
を具備することを特徴とする簡易温室。
【請求項２】
前記保温手段は、発泡スチロールから成ることを特徴とする請求項１記載の簡易温室。
【請求項３】
前記被覆部材は、内部に気体が封入された気層を有することを特徴とする請求項１又は２記載の簡易温室。
【請求項４】
前記被覆部材は、ネット状に形成されることを特徴とする請求項１又は２記載の簡易温室。
【請求項５】
前記被覆部材保持手段は、両端部に穴を有すると共に、突起状に形成された前記回動部に弾性力を付勢して係合可能な弓状に形成されていることを特徴とする請求項１ないし４のいずれかに記載の簡易温室。
【請求項６】
前記被覆部材保持手段は、両端部に突起を有すると共に、穴が形成された前記回動部に弾性力を付勢して係合可能な弓状に形成されていることを特徴とする請求項１ないし４のいずれかに記載の簡易温室。
【請求項７】
前記被覆部材保持手段は、前記固定手段の回動部に係合する補強部を有することを特徴とする請求項１ないし６のいずれかに記載の簡易温室。
【発明の詳細な説明】
【技術分野】
【０００１】
この発明は、安価で簡易に製造できる簡易温室およびそれに用いる簡易温室用骨組に関するものである。
【背景技術】
【０００２】
従来、観葉植物や家庭菜園等において、家庭の庭やベランダ等に載置する植木鉢等を覆い、内部の温度が下がるのを防止する温室がある（例えば、特許文献１）。
【０００３】
【特許文献１】特開２００１−３３３６４８（図１）
【発明の開示】
【発明が解決しようとする課題】
【０００４】
しかしながら、従来の温室は、複数の部材を必要とするためコストが掛かる他、組み立てが複雑になるという問題があった。
【０００５】
そこで本発明は、少ない部材で簡易に組立が可能な簡易温室およびそれに用いる簡易温室用骨組を提供することを目的とする。
【課題を解決するための手段】
【０００６】
上記目的を達成するために、本発明の簡易温室は、光を地面側に通す被覆部材と、前記被覆部材を保持する被覆部材保持手段と、前記被覆部材保持手段を回動可能に保持する回動部と、地面に固定可能な固定部とを有する複数の固定手段と、断熱効果を有するものであって、前記被覆部材保持手段と地面との間にできる空間の熱が外部に逃げるのを防止する底のない保温手段と、を具備することを特徴とする。
【０００７】
この場合、前記保温手段は、発泡スチロールによって形成することができる。また、前記被覆部材は、内部に気体が封入された気層を有する方が好ましい。また、前記被覆部材は、ネット状のものを用いることもできる。また、前記被覆部材保持手段は、両端部に穴を有すると共に、突起状に形成された前記回動部に弾性力を付勢して係合可能な弓状に形成されるか、あるいは、両端部に突起を有すると共に、穴が形成された前記回動部に弾性力を付勢して係合可能な弓状に形成される方が好ましい。また、前記被覆部材保持手段は、前記固定手段の回動部に係合する補強部を有する方が好ましい。
【発明の効果】
【０００８】
本発明によれば、被覆部材と被覆部材保持手段と固定手段と保温手段という少ない部材で簡易に組立が可能であり、またコストも低減することができる。また、保温手段を更に設けるので、保温効果を向上することができる。
【０００９】
請求項３記載の発明によれば、被覆部材が内部に気体を封入された気層を有するので、更に保温効果を向上することができる。
【００１０】
請求項４記載の発明によれば、被覆部材は、ネット状に形成されるので、夏等に野菜等を鳥から守ることができる。
【００１１】
請求項５，６記載の発明によれば、被覆部材保持手段と固定手段との組立を簡易に行うことができる。
【００１２】
請求項７記載の発明によれば、被覆部材保持手段は、固定手段の回動部に係合する補強部を有するので、比較的大きな簡易温室も組み立てることができる。
【発明を実施するための最良の形態】
【００１３】
上記目的を達成するために、本発明の簡易温室用骨組１０は、図１に示すように、被覆部材保持手段２と、固定手段３と、で主に構成される。また、本発明の簡易温室１は、図２に示すように、この簡易温室用骨組１０によって被覆部材４を保持したものである。
【００１４】
被覆部材４は、太陽等の光を地面１００側に通すものであればどのようなものでも良く、例えば、透明や半透明のビニールやポリエチレン等、合成樹脂製のものを用いることができる。この場合、厚みは簡易温室１内の熱が逃げるのを防止する厚みに形成する方が好ましい。また、梱包等に使用される気泡緩衝シートのような内部に気体が封入された気層を有する被覆部材を用いても良い。被覆部材４の形状は、被覆部材保持手段２の上部を覆うことができるものであればどのように形成しても良く、例えば、図３（ａ）に示すように、長方形のものや、図３（ｂ）に示すように、簡易温室１の形に合わせた立体状のものを用いることができる。これにより、被覆部材４の断熱性を更に向上することができる。また、夏のような気温の高い時期には、被覆部材４としてネット状のものを用いることも可能である。これにより、野菜等を鳥などから守ることができる。また、被覆部材４には、被覆部材保持手段２に固定するための被覆部材固定手段４１、例えば、図３（ａ）に示すように、被覆部材保持手段２を通すことのできる穴が形成される。この場合、穴（被覆部材固定手段４１）のまわりに穴を補強する金属や樹脂製の補強具４２を設けても良い。なお、被覆部材固定手段４１は、被覆部材保持手段２を結んで固定する紐状のものや、被覆部材保持手段２を挟持するクリップ等を用いることも可能である。また、被覆部材固定手段４１は、被覆部材保持手段２側に設けても良く、例えば、被覆部材保持手段２側に被覆部材４を挟持するクリップ等を設ければ良い。
【００１５】
被覆部材保持手段２は、被覆部材４を保持するためのもので、例えば図４に示すように、両端部に穴２１を有すると共に、後述する固定手段３に形成された回動部３１に弾性力を付勢して係合可能な弓状（コの字状も含む）に形成される。この場合、被覆部材保持手段２は、被覆部材４を保持できる強度を有し、回動部３１に係合可能な弾性力を付勢できるものであればどのような材質のものでも良く、例えば、ステンレスや鋼、アルミ、銅等の金属や、ポリエチレン等の合成樹脂によって形成すれば良い。また、被覆部材保持手段２の長手方向の長さが大きい場合には、被覆部材保持手段２の中間に、被覆部材保持手段２の両端部と同一方向に延出する１以上の補強部２２を形成しても良い（図５参照）。この補強部２２の先端にも、固定手段３に形成された回動部３１に係合可能な穴２１が形成される。
【００１６】
固定手段３は、図６に示すように、複数の被覆部材保持手段２を回動可能に保持する回動部３１と、地面１００に固定可能な固定部３２から構成される。
【００１７】
回動部３１は、例えば図６に示すように、固定手段３の一端から垂直方向に突出する突起状に形成され、複数の被覆部材保持手段２の穴２１に係合可能に形成される。この場合、回動部３１は、被覆部材保持手段２の穴よりわずかに小さく形成すれば良い。また、回動部３１の先端側に被覆部材保持手段２が回動部３１から外れるのを防止する係止具を設けることも可能である。係止具としては、例えば、図６（ａ）に示すように、釣り針の返しのような構造３１１や、図６（ｂ）に示すように、先端をナット３１３と螺合可能なボルト状の構造３１２を形成し、ナット３１３によって固定するものを用いることができる。
【００１８】
固定部３２は、固定手段３の回動部３１側とは異なる他端側に形成されるもので、固定手段３を地面１００に固定するものであればどのようなものでも良く、例えば先端が杭状に形成される。勿論、杭の先端は二股状、三股状に形成しても良い。
【００１９】
固定手段３と被覆部材保持手段２との組立は、例えば、まず、２つの固定手段３を被覆部材保持手段２の両端部の穴の距離よりも大きい間隔で配置し、回動部３１が外側に向くように地面１００に固定する。次に、被覆部材保持手段２の両端部を弾性力に反して開き、被覆部材保持手段２の穴を固定手段３の回動部３１の突起に嵌挿して係合すればよい。もちろん、これとは逆に、２つの固定手段３を被覆部材保持手段２の両端部の穴の距離よりも小さい間隔で配置し、回動部３１が内側に向くように地面１００に固定する。次に、被覆部材保持手段２の両端部を弾性力に反して縮め、被覆部材保持手段２の穴を固定手段３の回動部３１の突起に嵌挿して係合してもよい。
【００２０】
このように構成することにより、複数の被覆部材保持手段２を、回動部３１を中心に回動させることができるので、水や肥料をやる際に簡易温室１の上部の被覆部材４を簡単に開閉することができる。
【００２１】
なお、上記説明では、被覆部材保持手段２の両端部に穴を形成し、固定手段３の一端に突起状の回動部３１を形成する場合について説明したが、これに限られるものではなく、例えば、図７に示すように、被覆部材保持手段２の両端部に突起２６を形成し、これを図８に示すように、固定手段３の一端に形成した複数の穴３１６に嵌挿するようにしても良い。
【００２２】
なお、簡易温室１は、図９に示すように、被覆部材保持手段２と地面１００との間にできる空間の熱が外部に逃げるのを防止する保温手段５を更に備える構成としても良い。この場合、保温手段５は、断熱効果を有するものであればどのようなものでも良いが、例えば、底のない箱状の発泡スチロールを用いることができる。このように形成すれば、簡易温室１内の熱が外部に逃げるのを更に確実に防止することができる。また、簡易温室１を屋内で鉢植え等に用いる場合には、図１０に示すように、保温手段５を有底箱状に形成することも勿論可能である。また、保温手段５を地面に固定する保温手段固定具を形成しても良い。
【００２３】
なお、被覆部材保持手段２と保温手段５との間が開くのを防止するため、被覆部材保持手段２又は保温手段５の少なくともいずれか一方に止め金を形成するようにしても良い。止め金は、被覆部材保持手段２と保温手段５との間が開くのを防止することができるものであればどのようなものでも用いることができる。また、被覆部材保持手段２と保温手段５との間に、害虫やナメクジ等を忌避するための忌避剤を収納する忌避用ポケットを形成しても良い。この場合、被覆部材保持手段２又は保温手段５の少なくともいずれか一方に忌避用ポケットを形成すれば良い。
【図面の簡単な説明】
【００２４】
【図１】本発明の簡易温室用骨組みを示す正面図である。
【図２】本発明の簡易温室を示す側面図である。
【図３】本発明に係る被覆部材を示す平面図である。
【図４】本発明に係る被覆部材保持手段を示す概略斜視図である。
【図５】本発明に係る別の被覆部材保持手段を示す概略斜視図である。
【図６】本発明に係る固定手段を示す側面図である。
【図７】本発明に係る更に別の被覆部材保持手段を示す概略斜視図である。
【図８】本発明に係る別の固定手段の回動部を示す概略側面図である。
【図９】本発明の別の簡易温室の骨組みを示す側面図である。
【図１０】本発明の更に別の簡易温室の骨組みを示す正面図である。
【符号の説明】
【００２５】
１  簡易温室
２  被覆部材保持手段
３  固定手段
４  被覆部材
５  保温手段
１０  簡易温室用骨組み
３１  回動部
３２  固定部
１００  地面
【図１】
0004527682.tif 000002
【図２】
0004527682.tif 000003
【図３】
0004527682.tif 000004
【図４】
0004527682.tif 000005
【図５】
0004527682.tif 000006
【図６】
0004527682.tif 000007
【図７】
0004527682.tif 000008
【図８】
0004527682.tif 000009
【図９】
0004527682.tif 000010
【図１０】
0004527682.tif 000011